(57)【要約】【課題】裁断された皮革製品にナチュラルマークによる不良が発生し、不良品である皮革製品が流出してしまうことを防ぐ。【解決手段】下地加工Ｓ３がなされナチュラルマーク１２が現れている皮革１０を撮影する皮革撮影工程Ｓ５と、皮革に仕上げ加工を施す皮革仕上げ加工工程Ｓ７と、皮革撮影工程で撮影した映像を用い、皮革に形成されているナチュラルマークを避けるようにして、皮革仕上げ加工工程で仕上げ加工がなされた皮革を裁断する皮革裁断工程Ｓ１）とを有する皮革製品生成方法である。【選択図】図１
2013231143.tif 000002
【特許請求の範囲】
【請求項１】
下地加工がなされナチュラルマークが現れている皮革を撮影する皮革撮影工程と、
前記皮革に仕上げ加工を施す皮革仕上げ加工工程と、
前記皮革撮影工程で撮影した映像を用い、前記皮革に形成されているナチュラルマークを避けるようにして、前記皮革仕上げ加工工程で仕上げ加工がなされた皮革を裁断する皮革裁断工程と、
を有することを特徴とする皮革製品生成方法。
【請求項２】
請求項１に記載の皮革製品生成方法において、
前記皮革裁断工程は、前記皮革撮影工程で撮影した映像を、前記皮革仕上げ加工工程で仕上げ加工がされた皮革に投影して、皮革を裁断する工程であることを特徴とする皮革製品生成方法。
【請求項３】
請求項１または請求項２に記載の皮革製品生成方法において、
前記皮革撮影工程で撮影した映像のナチュラルマークにランク付けをするナチュラルマークランク付け工程を有し、
前記皮革裁断工程は、前記ナチュラルマークランク付け工程でなされたランク付けに応じて、前記皮革仕上げ加工工程で仕上げ加工がなされた皮革を裁断する工程であることを特徴とする皮革製品生成方法。
【請求項４】
下地加工がなされナチュラルマークが現れている皮革を設置する第１の皮革設置部と、
前記第１の皮革設置部に設置された皮革を撮影する皮革撮影部と、
仕上げ加工がなされた皮革を設置する第２の皮革設置部と、
前記第２の皮革設置部に設置されている皮革を裁断する皮革裁断部と、
前記皮革撮影部で撮影した映像を用い、前記皮革に形成されているナチュラルマークを避けて、前記皮革裁断部が前記第２の皮革設置部に設置されている皮革を裁断するように、前記皮革裁断部を制御する制御部と、
を有することを特徴とする皮革製品生成装置。
【発明の詳細な説明】
【技術分野】
【０００１】
本発明は、皮革製品生成方法および皮革製品生成装置に係り、特に、ナチュラルマークを避けつつ皮革製品を生成するものに関する。
【背景技術】
【０００２】
従来の皮革生成は、図６で示すように、ウェットブルー（Ｗ／Ｂ）やウェットホワイト（Ｗ／Ｗ）の皮革を用意し（Ｓ２０１）、この皮革（原材料）に下地加工（なめし加工等）を施して皮革を生成している（Ｓ２０３）。
【０００３】
続いて、生成された皮革に仕上げ加工を施している（Ｓ２０５）。仕上げ加工では、皮革に塗装を施し、必要に応じてエンボス加工やシボ加工を施している。
【０００４】
続いて、仕上げ加工がなされた皮革のナチュラルマークを探し、この探しあてたナチュラルマークを避けて、皮革を所定形状に裁断し（Ｓ２０７）、皮革製品（完成品）を得ている（Ｓ２０９）。
【０００５】
なお、従来の技術に関連する特許文献として、たとえば、特許文献１を掲げることができる。
【先行技術文献】
【特許文献】
【０００６】
【特許文献１】特表平９−５１２２１５号公報
【発明の概要】
【発明が解決しようとする課題】
【０００７】
ところで、従来の皮革製品の生成方法では、ステップＳ２０３まではナチュラルマークが皮革の表面に現れていて肉眼で良く見える状態になっている。しかし、ステップＳ２０５で皮革の表面に仕上げ加工を施すと、塗装膜等によってナチュラルマークが隠れてしまう。
【０００８】
また、裁断加工で裁断された皮革製品（裁断パーツ）にナチュラルマークが存在すると、仕上げ加工によってナチュラルマークが隠れていても、皮革製品が不良品になってしまう。これを避けるために、裁断加工で、ナチュラルマークを避けた裁断（皮革製品にナチュラルマークが存在しない皮革製品取り）がなされている。
【０００９】
しかし、ナチュラルマークが仕上げ加工の塗装等によって隠れているので、裁断加工では、皮革を引っ張り延ばしてナチュラルマークを強制的に見えるようにしたり、手触りにたよったりして、ナチュラルマークを避けている。したがって、ナチュラルマークの見逃しが発生しやすく、裁断された皮革製品にナチュラルマークが存在することで、不良品である皮革製品が流出してしまうという問題がある。
【００１０】
上記問題は、仕上げ加工で設けた塗装膜が厚くなったりエンボス加工やシボ加工を施すことで、一層顕著になる。
【００１１】
本発明は上記問題点に鑑みてなされたものであり、裁断された皮革製品にナチュラルマークによる不良が発生し、不良品である皮革製品が流出してしまうことを防ぐことができる皮革製品生成方法および皮革製品生成装置を提供することを目的とする。
【課題を解決するための手段】
【００１２】
請求項１に記載の発明は、下地加工がなされナチュラルマークが現れている皮革を撮影する皮革撮影工程と、前記皮革に仕上げ加工を施す皮革仕上げ加工工程と、前記皮革撮影工程で撮影した映像を用い、前記皮革に形成されているナチュラルマークを避けるようにして、前記皮革仕上げ加工工程で仕上げ加工がなされた皮革を裁断する皮革裁断工程とを有する皮革製品生成方法である。
【００１３】
請求項２に記載の発明は、請求項１に記載の皮革製品生成方法において、前記皮革裁断工程は、前記皮革撮影工程で撮影した映像を、前記皮革仕上げ加工工程で仕上げ加工がされた皮革に投影して、皮革を裁断する工程である皮革製品生成方法である。
【００１４】
請求項３に記載の発明は、請求項１または請求項２に記載の皮革製品生成方法において、前記皮革撮影工程で撮影した映像のナチュラルマークにランク付けをするナチュラルマークランク付け工程を有し、前記皮革裁断工程は、前記ナチュラルマークランク付け工程でなされたランク付けに応じて、前記皮革仕上げ加工工程で仕上げ加工がなされた皮革を裁断する工程である皮革製品生成方法である。
【００１５】
請求項４に記載の発明は、下地加工がなされナチュラルマークが現れている皮革を設置する第１の皮革設置部と、前記第１の皮革設置部に設置された皮革を撮影する皮革撮影部と、仕上げ加工がなされた皮革を設置する第２の皮革設置部と、前記第２の皮革設置部に設置されている皮革を裁断する皮革裁断部と、前記皮革撮影部で撮影した映像を用い、前記皮革に形成されているナチュラルマークを避けて、前記皮革裁断部が前記第２の皮革設置部に設置されている皮革を裁断するように、前記皮革裁断部を制御する制御部とを有する皮革製品生成装置である。
【発明の効果】
【００１６】
本発明によれば、裁断された皮革製品にナチュラルマークによる不良が発生し、不良品である皮革製品が流出してしまうことを防ぐことができるという効果を奏する。
【図面の簡単な説明】
【００１７】
【図１】本発明の実施形態に係る皮革製品生成方法の概略工程を示すフローチャートである。
【図２】本発明の実施形態に係る皮革製品生成方法の工程を示す図である。
【図３】本発明の実施形態に係る皮革製品生成装置の概略構成を示す図である。
【図４】本発明の実施形態に係る皮革製品生成装置の制御装置等の概略構成を示すブロック図である。
【図５】本発明の実施形態に係る皮革製品生成装置の制御装置のメモリの記憶内容の一部を示す図である。
【図６】従来の皮革製品生成方法の概略工程を示すフローチャートである。
【発明を実施するための形態】
【００１８】
本発明の実施形態に係る皮革製品生成方法では、皮革撮影工程（皮革撮影画像保存工程）と皮革仕上げ加工工程と皮革裁断工程とを経て皮革製品が生成（製造）されるようになっている（図１参照）。
【００１９】
皮革撮影工程は、下地加工がなされナチュラルマーク（ＮＭ；Ｎａｔｕｒａｌ  Ｍａｒｋ）１２が現れている皮革１０を、たとえば、カメラ１４で撮影し、この撮影した映像（画像）をメモリ１６（磁気メモリやＩＣメモリやテープ等の記憶媒体）に保存する工程である（図１のステップＳ５、図２参照）。なお、図２（ａ）に示されている参照符号１２は、実際に皮革１０の存在しているナチュラルークを示している。
【００２０】
下地加工（図１のステップＳ３）は、概ね次の工程でなされる。
【００２１】
ウェットブルー（ＷＢ）もしくはウェットホワイト（ＷＷ）の皮（たとえば牛１頭分で１枚になっている皮；図１のステップＳ１）を水で戻し、この戻した皮を傷の程度に応じて等級選別する。
【００２２】
等級選別された皮を、背中のところで半割にし、シェービング等により厚さを整える（たとえば、５ｍｍ程度のものを１．０ｍｍ〜１．５ｍｍ程度の厚さにする）。
【００２３】
厚さが整えられた皮をドラム内でなめす。このときに、ドラム内に皮とともに薬品、油、染料等を入れる。なめすことによって皮の質が変わる（たとえば、柔らかくなり、腐敗しにくくなり、また、染料によって皮に色が付けられる）。ここまでの工程を水場の工程といい、以下の工程を乾燥場の工程という。
【００２４】
次に、なめされた皮をほぐしつつ乾燥する。これにより皮革１０が生成される。なお、この後、再びなめしをして皮革１０をさらに柔らかくする場合もある。
【００２５】
以上により下地下加工は終了する。
【００２６】
下加工が終了した皮革１０についているナチュラルマーク１２は、皮革１０の表面に現れており、肉眼で容易に見えるようになっている（図２（ａ）参照）。ナチュラルマーク１２は、生来牛（他の動物でもよい）だったときに起因する、皮革１０に残存し、皮革１０の表面の平滑性を阻害する部分である。ナチュラルマーク１２は、引っ掻き傷、擦り傷、治り傷、肌荒れ、虫さされ（グラブ）、烙印、タムシ、トラジワ、血管跡等によって形成されたものである。
【００２７】
ナチュラルマーク１２がついている皮革１０の部位は、他の部位（ナチュラルマーク１２がついていない皮革１０の部位）に比べて凹状もしくは凸状になっており、他の部位よりも白っぽく見えたり、もしくは、黒っぽく見える。
【００２８】
皮革撮影工程では、下地加工がなされた皮革１０の、裏面（たとえば皮革１０の床面；撮影される面とは反対側の面）の端部に、ＱＲコード（登録商標）もしくはバーコード等の識別符号をつける。具体的には、識別符号が印刷等で設けられているシールを皮革１０の裏面端部に貼る。
【００２９】
続いて、たとえば、皮革１０を載置する上面（水平面）を備えた皮革載置台の上記上面に、識別符号がつけられた皮革１０を載置する。このとき、識別符号がつけられた皮革１０の裏面が下面になって皮革載置台の上面に面接触し、識別符号がつけられていない皮革１０の表（おもて）面（たとえば皮革１０の銀面；撮影される面）が上を向いている。
【００３０】
皮革載置台に載置された皮革１０のおもて面を、皮革載置台の上方に設けられているカメラ１４で（スキャナー等他の機器で撮影してもよい。）で撮影し、この撮影した映像（画像）を、識別符号読み取り部（図２では図示せず）で読み取った識別部号と対応づけてメモリ１６に記憶する。
【００３１】
皮革仕上げ加工工程は、皮革撮影工程での撮影をした後に、皮革１０に仕上げ加工を施す工程である（図１のステップＳ７、図２（ｂ）参照）。
【００３２】
仕上げ加工は、概ね次の工程でなされる。
【００３３】
皮革載置台に載置されカメラ１４で撮影された皮革１０を、皮革載置台から取り外し、皮革１０の表（おもて）面にベースコートを塗り、この上に中塗りをし、さらにこの上に上塗りをする。これら塗りによって形成された塗膜によりほとんどのナチュラルマークが隠れてしまう。
【００３４】
なお、皮革１０にエンボス加工やシボ加工がなされる場合があり、これにより、ナチュラルマークは一層見えにくくなる。
【００３５】
皮革裁断工程は、皮革撮影工程で撮影し保存した映像を用い、皮革１０に形成されているナチュラルマーク１２を避けるようにして、皮革仕上げ加工工程で仕上げ加工がなされた皮革１０を裁断する工程である（図１のステップＳ９，Ｓ１１）。
【００３６】
なお、皮革裁断工程で、皮革１０に形成されている総てのナチュラルマーク１２を避ける必要はない。すなわち、裁断された皮革製品に、程度の良いナチュラルマークであれば存在していてもよい。程度の悪いナチュラルマークが裁断された皮革製品に存在することは勿論許されない。程度の悪いナチュラルマークとして、たとえば皮革１０にあいた孔、皮革１０に形成されている深い凹部等、一見して欠陥と判別できるものを掲げることができる。程度の良いナチュラルマークとして、たとえば皮革１０に形成されているごく浅い凹部等、一見しただけでは欠陥と判別できないものを掲げることができる。
【００３７】
皮革裁断工程での裁断は、たとえば人が、ナイフのような刃物を用いて皮革１０を所定形状に切断することでなされたり、型で皮革１０を打ち抜くことでなされる。所定形状に切断された皮革が皮革製品になる。皮革製品は、たとえば、自動車のシート等の内装品に使用される。
【００３８】
また、皮革裁断工程では、たとえば、皮革撮影工程で撮影した映像を、皮革仕上げ加工工程で仕上げ加工がされた皮革１０に投影して（皮革１０の大きさおよび位置と投影された映像の大きさおよび位置とがお互いに一致するようにして映像を皮革に投影しておいて；図２（ｃ）参照）、皮革１０を裁断する。
【００３９】
具体的には、皮革１０を載置する上面（水平面）を備えた皮革載置台（撮影に使用するものと同じものであってもよいし別のものであってもよい。）の上面に、プロジェクタ２０等の画像出力部（画像出力装置）を用いて、カメラ１４で撮影しメモリ１６に保存しておいた映像を映写する。メモリ１６に多数の映像が記憶されている場合には、皮革載置台に載置されている皮革１０に付されている識別符号を識別符号読み取り部で読み読み取り、この読み取った識別符号に対応した映像を投影する。
【００４０】
上記映写をしておいて、人が載置台の上面に皮革１０を載置する。このとき、皮革１０の裏面を載置台の上面に面接触させ、映像１８を皮革１０と同じ大きさにし、皮革１０が映写されている映像１８と重なるようにする。なお、図２（ｃ）の参照符号１２は、映像１８で現れるナチュラルマークを示しており、この参照符号１２で示すナチュラルマークと同じところに、実際のナチュラルマークも存在している。
【００４１】
なお、皮革撮影工程において、１枚の皮革１０を複数回撮影してもよい。これらの撮影は、カメラ１４での撮影方向を変えたり、カメラ１４での撮影時、皮革１０に照射する光の方向を変えたりしてなされるものとする。
【００４２】
１枚の皮革１０を複数回撮影した場合には、皮革裁断工程で、映像を重ねて皮革１０に同時に投影するか、もしくは、映像を時刻をずらして交替で皮革１０に投影するものとする。
【００４３】
また、皮革裁断工程で、皮革撮影工程で撮影した映像を皮革１０に重ねて投影することなく、皮革１０とは別個の白色の紙等に投影して表示し、もしくは、皮革１０とは別個の白色の紙等に印刷して表示し、もしくは、ＬＣＤ等のディスプレイに表示し、この表示に基づいて、ナチュラルマーク１２を避けて、皮革１０を裁断してもよい。なお、上記表示において、皮革撮影工程で撮影した映像の尺度を変えて（たとえば縮めて）表示してもよい。
【００４４】
また、皮革撮影工程で撮影した映像のナチュラルマークに、ランク付けをし（ナチュラルマークランク付け工程）、皮革裁断工程で、ナチュラルマークランク付け工程でなされたランク付けに応じて、皮革仕上げ加工工程で仕上げ加工がなされた皮革１０を裁断するようにしてもよい。
【００４５】
ナチュラルマークランク付け工程でのランク付けは、たとえば、次のようにしてなされる。
【００４６】
撮影した皮革１０の映像（ナチュラルマーク１２が現れている映像）をタッチパネル付きのＬＣＤ等の画像表示装置に表示しておく。表示されている映像中の各ナチュラルマーク１２それぞれの近傍に、タッチパネルやキーボード等の入力部を用いて、ランクを表示するマーク（ランク表示マーク）を付与する。なお、ランク表示マークの付与は、表示されている映像だけでなく、皮革１０を実際に見ながらなされることが望ましい。
【００４７】
たとえば、１つ目のナチュラルマーク１２の近傍には、ランク表示マーク「２」を付与し、２つ目のナチュラルマーク１２の近傍には、ランク表示マーク「３」を付与し、３つ目のナチュラルマーク１２の近傍には、ランク表示マーク「１」を付与し、４つ目のナチュラルマーク１２の近傍には、ランク表示マーク「２」を付与する等、総てのナチュラルマーク１２にランク表示マークを付与する。
【００４８】
上記表示「１」、「２」、「３」は、ナチュラルマーク１２の程度の良し悪しを表しており、数字が大きくなるほど、程度が悪くなる。
【００４９】
たとえば、「３」が付与されているナチュラルマーク１２は、いかなる皮革製品にも存在してはならないものである。「２」が付与されているナチュラルマーク１２は、皮革製品が目立たない部品に使用されるものの場合、皮革製品での存在が許されるものである。「１」が付与されているナチュラルマーク１２は、皮革製品の所定の部位（たとえば、目立たない部位）になら存在が許されるものである。
【００５０】
なお、上記３つのランク表示マークのうちの１つを省略してもよい。たとえば、「１」の出現数が最も多い場合には、「１」の表示を省略してもよい。）
皮革撮影工程で撮影した映像のナチュラルマーク１２に、ランク付けをすることに代えてもしくは加えて、皮革撮影工程で撮影した映像のナチュラルマーク１２を修正してもよい。
【００５１】
修正は、表示されている映像だけでなく、皮革１０を実際に見ながらなされることが望ましい。修正の態様として、たとえば、撮影されたナチュラルマーク１２の形状の修正、撮影されたナチュラルマーク１２ではない模様の映像からの削除、撮影された皮革１０の映像へのナチュラルマーク１２の付加を掲げることができる。
【００５２】
撮影した映像では、ナチュラルマーク１２が皮革１０の部位の色の変化で表されているが、色が変わっているにもかかわらず、実際にはナチュラルマーク１２が形成されていなかったり、色が変わっていないのに実際ナチュラルマーク１２が形成されている場合が稀にある。このような場合であっても、皮革撮影工程で撮影した映像のナチュラルマーク１２を修正することで、裁断工程でナチュラルマーク１２が存在する皮革製品が生成されてしまうことを防止することができる。
【００５３】
なお、付与されたランク表示マーク等は、ナチュラルマーク１２が現れている皮革１０の映像とともに、メモリ１６に記憶され、皮革裁断工程で、たとえば皮革１０に投影されるようになっている。
【００５４】
ここで、上述した皮革製品生成方法を実施するための装置（皮革製品生成装置）３０を例示する。
【００５５】
説明の便宜のために、水平な一方向をＸ軸方向とし、水平な他の一方向であってＸ軸方向に直交する方向をＹ軸方向とし、Ｘ軸方向とＹ軸方向とに直交する鉛直方向をＺ軸方向とする。
【００５６】
皮革製品生成装置３０は、図３で示すように、第１の皮革設置部３２と皮革撮影部（たとえばカメラ）１４と第２の皮革設置部３４（第１の皮革設置部と同じものであり、兼用されている）と制御部３８とを備えて構成されている。
【００５７】
また、皮革製品生成装置３０には、図３や図４で示すように、制御装置６０が設けられている。制御装置６０には、制御部３８とメモリ１６とが設けられている。
【００５８】
第１の皮革設置部３２は、下地加工がなされナチュラルマーク１２が現れている皮革１０を設置するものであり、上述した皮革載置台に相当する。また、第１の皮革設置部３２は、たとえば真空吸着によって皮革１０を保持するようになっている。
【００５９】
カメラ１４は、第１の皮革設置部３２に設置された皮革１０を撮影するようになっている。第１の皮革設置部３２には、支柱４０とビーム４２とが一体的に設けられており、ビーム４２は、第１の皮革設置部３２の上方の位置している。ビーム４２にはカメラ１４が一体的に設けたれており、カメラ１４によって第１の皮革設置部３２に載置された皮革１０が撮影されるようになっている。
【００６０】
皮革裁断部３６は、第２の皮革設置部３４に設置されている皮革１０を裁断するものである。皮革裁断部３６は、Ｙ軸移動体４４とＸ軸移動体４６とＺ軸移動体４８と刃物保持体（刃物設置体）５０とを備えて構成されている。
【００６１】
Ｙ軸移動体４４は、第２の皮革設置部３４の上方で第２の皮革設置部３４から離れて設けられており、図示しないリニアガイドベアリングによって第２の皮革設置部３４に支持されており、サーボモータ等のアクチュエータによりＹ軸方向で第２の皮革設置部３４に対して移動位置決め自在になっている。
【００６２】
Ｘ軸移動体４６は、図示しないリニアガイドベアリングによってＹ軸移動体４４に支持されており、サーボモータ等のアクチュエータによりＸ軸方向でＹ軸移動体４４に対して移動位置決め自在になっている。
【００６３】
Ｚ軸移動体４８は、図示しないリニアガイドベアリングによってＸ軸移動体４６に支持されており、サーボモータ等のアクチュエータによりＺ軸方向でＸ軸移動体４６に対して移動位置決め自在になっている。
【００６４】
刃物保持体５０は、図示しないベアリングによってＺ軸移動体４８に支持されており、サーボモータ等のアクチュエータによりθ軸まわりでＺ軸移動体４８に対して回動位置決め自在になっている。なお、θ軸は、刃物保持体５０の中心を通ってＺ軸方向に延びている軸である。
【００６５】
制御部３８は、カメラ１４で撮影しメモリ１６に保存しておいた映像を用い、皮革１０に形成されているナチュラルマーク１２を避けるようにして、皮革裁断部３６（刃物保持体５０に設置されている刃物５２）が第２の皮革設置部３４に設置されている皮革１０を裁断するように、皮革裁断部（カッター駆動部；前述した各サーボモータ）３６を制御するようになっている。
【００６６】
なお、皮革１０から、ナチュラルマーク１２を避けるようにして、皮革製品を割り付ける動作は、板状素材のネスティングと同様になされるものとする。
【００６７】
また、図４で示す画像処理部６２によって、カメラ１４で撮影した映像を画像処理して、ナチュラルマーク１２を自動認識するようにすれば、カメラ１４で撮影した映像を皮革１０に投射することなく、皮革裁断部３６で皮革１０の裁断をおこなうことができる。
【００６８】
また、皮革製品生成装置３０には、識別符号読取部６４と入力部６６とが設けられている。識別符号読取部６４は、上述したように、図２（ａ）で撮影した皮革１０に付されている識別符号を読み取ったり、また、第２の皮革載置部３４に載置されている皮革１０に付されている識別符号を読み読み取るものである。入力部６６は、たとえば、マウスやキーボードやタッチパネルで構成されており、上述したランク表示マークを付与するときや、ナチュラルマーク１２を修正するとき、皮革１０から裁断される皮革製品を指定するときに使用されるものである。
【００６９】
メモリ１６には、図６で示すように、識別符号と画像データとが対応ずけられて記憶されている。また、メモリ１６には、皮革製品の仕様（形状）等が記憶されている。
【００７０】
なお、上記説明では、皮革製品生成装置３０を１つの装置としているが、皮革製品生成装置３０を２つに分割してもよい。この場合、１つ目の皮革製品生成装置は、皮革１０の撮影を担当し、２つ目の皮革製品生成装置は、皮革の裁断を担当する。
【００７１】
この場合、１つ目の皮革製品生成装置は、図３に示す、第１の皮革設置部３２とカメラ１４と、図４に示す、制御部３８と画像処理部６２とメモリ１６と識別符号読取部６４と入力部６６とを備えて構成されている。
【００７２】
２つ目の皮革製品生成装置は、図３に示す、第２の皮革設置部３４と、図４に示す、制御部３８とメモリ１６と識別符号読取部６４とカッター駆動部（皮革裁断部）３６とを備えて構成されている。
【００７３】
さらに、２つ目の皮革製品生成装置で、手動により皮革１０を裁断してもよい。この場合、１つ目の皮革製品生成装置における画像処理部６２は不要になり、２つ目の皮革製品生成装置におけるカッター駆動部３６は不要になる。代わりに、２つ目の皮革製品生成装置には、プロジェクタ等の映像出力部２０が設けられることになる。
【００７４】
皮革製品生成方法によれば、皮革撮影工程で撮影し保存した映像を用い、皮革１０に形成されているナチュラルマーク１２を避けて、仕上げ加工がなされた皮革１０を裁断するので、見た目だけでナチュラルマーク１２を避けた裁断を簡単にすることができ、ナチュラルマーク１２を含んだ皮革製品の不良品が流出してしまうことを防ぐことができる。
【００７５】
また、従来の裁断では、仕上げ加工でナチュラルマーク１２が隠れてしまっているので、皮革１０を引っ張ったり異なる角度から光を当ててナチュラルマーク１２を発見し、この発見したナチュラルマーク１２に印をつけておいて、皮革１０の裁断をしている。
【００７６】
これに対して本実施形態による皮革製品生成方法によれば、上述したナチュラルマーク１２を発見する作業、この発見したナチュラルマーク１２に印をつける作業が不要になり、皮革製品の生成の工程を簡素化することができる。
【００７７】
また、皮革製品生成方法によれば、皮革撮影工程で撮影した映像を仕上げ加工がされた皮革１０に投影して皮革１０を裁断するので、ナチュラルマーク１２を早く容易に間違えなく避けつつ皮革１０を裁断することができる。
【００７８】
また、皮革製品生成方法によれば、ランク付けに応じて仕上げ加工がなされた皮革１０を裁断するので、皮革製品を得る際、皮革１０での無駄の発生を少なくすることができる。
【符号の説明】
【００７９】
１０  皮革
１２  ナチュラルマーク
１４  皮革撮影部（カメラ）
３０  皮革製品生成装置
３２  第１の皮革設置部（皮革載置台）
３４  第２の皮革設置部（皮革載置台）
３６  皮革裁断部
３８  制御部
【図１】
2013231143.tif 000003
【図２】
2013231143.tif 000004
【図３】
2013231143.tif 000005
【図４】
2013231143.tif 000006
【図５】
2013231143.tif 000007
【図６】
2013231143.tif 000008